(57)【要約】      （修正有）【課題】柔軟性と躍動感が感じられるようなポーズを取ることができて、スポーツ用品の展示に適したマネキン人形を提供する。【解決手段】様々な形状の芯材からなる骨格体１０と、骨格体１０を覆うプラスチック発泡体を備えてなるマネキン人形である。骨格体１０は、胸部骨格に相当する胸部芯材２０と、骨盤部分に相当する腰部芯材５０と、胸部芯材２０と腰部芯材５０とを接続する腹部芯材３０とを備える。腹部芯材３０は、途中１箇所（集合部３２）に集合する複数の線材３１により形成されている。胸部芯材２０は、腕部を接続するための腕部接続部材（胸側肩部材）、頭部を接続するための頭部接続部材を備えている。【選択図】図１
0003186413.tif 000002
【実用新案登録請求の範囲】
【請求項１】
様々な形状の芯材からなる骨格体と、前記骨格体を覆うプラスチック発泡体を備えてなるマネキン人形であって、
前記骨格体が、胸部骨格に相当する胸部芯材と、骨盤部分に相当する腰部芯材と、前記胸部芯材と前記腰部芯材とを接続する腹部芯材とを備え、
前記腹部芯材が、途中１箇所に集合する複数の線材により形成されていることを特徴とするマネキン人形。
【請求項２】
前記胸部芯材が、腕部を接続するための腕部接続部材を備えていることを特徴とする請求項１に記載のマネキン人形。
【請求項３】
前記胸部芯材が、頭部を接続するための頭部接続部材を備えていることを特徴とする請求項１又は２に記載のマネキン人形。
【請求項４】
前記腰部芯材に、脚部を形成する脚部芯材が接続されていることを特徴とする請求項１乃至３の何れか１項に記載のマネキン人形。
【請求項５】
前記腰部芯材が、スタンド用の取付部材を備えていることを特徴とする請求項１乃至４の何れか１項に記載のマネキン人形。
【請求項６】
前記プラスチック発泡体が、ウレタンフォームであることを特徴とする請求項１乃至５の何れか１項に記載のマネキン人形。
【考案の詳細な説明】
【技術分野】
【０００１】
本考案は、商品の展示などに用いられるマネキン人形であって、各関節部を自由に屈伸して多彩なポーズを形成することが可能であり、特に、胴体部を大きく捻ることが可能なマネキン人形に関する。
【背景技術】
【０００２】
従来から、様々なポーズを取ることができるマネキン人形が知られている。例えば、特許文献１には、屈曲可能な剛性を有する骨格部と、骨格部を覆う発泡ウレタン層を備えるマネキン人形が紹介されている。屈曲可能な剛性を有する素材とは、剛性を備えて多少の力では変形しないが、人の力によって塑性変形可能な材料と考えることができる。また、発泡ウレタン層の外周面を布で覆うことが記載されている。そして、骨格部については、アルミニウム合金などの軽量合金によって構成されることが記載されている。
【０００３】
また、特許文献２には、アルミニウム線材を用いた補強材と、ウレタン系の可塑性材料を用いた人台からなるマネキン人形が紹介されている。そして、如何なる部分でも任意に屈曲できて、様々なポーズを取らせることができると記載されている。しかし、具体的に示された態様では、胸部が、腰部及び脚部を含む本体部とは別体に形成されており、寝転んだポーズが示されているにすぎない。
【０００４】
すなわち、従来の特許文献に記載されたマネキン人形は、多少のポーズを取らせることができるものの、あくまでも静止したポーズであり、動きが感じられるポーズではない。そして、展示する商品は、その殆どが衣類であって、これに帽子やハンドバッグを添える程度である。
【０００５】
しかしながら、最近では、スポーツ用品などを展示するために、それらしい動きの感じられるマネキン人形が求められている。例えば、サッカー選手の着衣を展示するために、ドリブルをしている動きや、ボールを蹴った瞬間の動きが感じられるようなマネキン人形である。また、ゴルフ用品の展示において、マネキン人形にバックスウィングのポーズを取らせるとともに実際のクラブを握らせることができれば、着衣のみならず多くのゴルフ用品を展示して、販売促進に大きな効果があると考えられる。
【０００６】
このようなマネキン人形を考える場合、全身を現す形態とすることが好ましいが、部分的には取り外し可能とすることが好ましい。これによって、マネキン人形の輸送や持ち運びを容易にすることができる。また、衣服の着せ替えを容易にすることができる。
【０００７】
例えば、頭部は、頸部において着脱可能であるとともに、首筋が前後左右へ屈曲可能であり、首筋を中心に回動することが好ましい。特許文献３には、図５（ａ）に示す頸部関節１４０が記載され、これを介して頭部１８０が胸部１２０に接続されている。頸部関節１４０は、胸部１２０に固着された保持管１４１に、装着軸１４２が挿入され、着脱可能であるとともに回動自在となっている。同時に、二又片１４３、１４４及び中間ブロック１４５を備えて、全ての方向に傾けることができる。
【０００８】
また、肩関節を着脱可能として上半身の着せ替えを容易にすることは、従来からよく知られている。特許文献４には、図５（ｂ）に示すような肩関節１２５が記載されている。すなわち、胸部１２０の両肩には胸側肩関節部材１２６を備え、両腕部１６０には腕側肩関節部材１２７を備えて、着脱可能となっている。また、両腕部１６０には、金属線からなる腕部線材１６１を備えて、肩部及び肘部が屈曲可能となっている。
【先行技術文献】
【特許文献】
【０００９】
【特許文献１】実用新案登録第３１２３１０２号公報
【特許文献２】実開昭５３−９１４９９号公報
【特許文献３】実公昭６１−１８０８号公報
【特許文献４】実公昭６１−１８１２号公報
【考案の概要】
【考案が解決しようとする課題】
【００１０】
したがって、本考案の目的は、全身に柔軟性と躍動感が感じられるようなポーズを取ることができて、スポーツ用品の展示に適したマネキン人形を提供することにある。すなわち、多くのスポーツにおいて、瞬間的に起こる選手の動きをリアルに再現することができるマネキン人形を提供することにある。
【課題を解決するための手段】
【００１１】
上記の目的を達成するために、本考案者らは、様々な形状の芯材からなるマネキン人形の骨格体について鋭意研究を重ねた結果、胸部芯材及び腰部芯材に適度の剛性を持たせるとともに、胸部芯材と腰部芯材とを接続する腹部芯材を工夫することによって、マネキン人形全体に柔軟性と強靭性を持たせることが可能であることを発見し、本考案を完成させるに至った。
【００１２】
本考案の請求項１に係るマネキン人形は、様々な形状の芯材からなる骨格体と、前記骨格体を覆うプラスチック発泡体を備えてなるマネキン人形であって、前記骨格体が、胸部骨格に相当する胸部芯材と、骨盤部分に相当する腰部芯材と、前記胸部芯材と前記腰部芯材とを接続する腹部芯材とを備え、前記腹部芯材が、途中１箇所に集合する複数の線材により形成されている手段を採用している。
【００１３】
また、本考案の請求項２に係るマネキン人形は、請求項１に記載のマネキン人形であって、前記胸部芯材が、腕部を接続するための腕部接続部材を備えている手段を採用している。また、本考案の請求項３に係るマネキン人形は、請求項１又は２に記載のマネキン人形であって、前記胸部芯材が、頭部を接続するための頭部接続部材を備えている手段を採用している。
【００１４】
また、本考案の請求項４に係るマネキン人形は、請求項１乃至３の何れか１項に記載のマネキン人形であって、前記腰部芯材に、脚部を形成する脚部芯材が接続されている手段を採用している。また、本考案の請求項５に係るマネキン人形は、請求項１乃至４の何れか１項に記載のマネキン人形であって、前記腰部芯材が、スタンド用の取付部材を備えている手段を採用している。また、本考案の請求項６に係るマネキン人形は、請求項１乃至５の何れか１項に記載のマネキン人形であって、前記プラスチック発泡体が、ウレタンフォームである手段を採用している。
【考案の効果】
【００１５】
本考案のマネキン人形は、胸部芯材と腰部芯材とを接続する腹部芯材を備えている。そして、腹部芯材が、複数の線材により形成されるとともに、胸部芯材から腰部芯材に至る間の途中１箇所で集合していることを特徴としている。このため、本考案のマネキン人形は、腹部を任意の方向に屈曲することができる。また、腹部を捩じることが可能であり、腰部に対して胸部を９０度程度捻ることができる。このような構造は、腹部に限らず他の部位、例えば頸部等に応用することができる。
【図面の簡単な説明】
【００１６】
【図１】（ａ）は本考案のマネキン人形の胸部、腹部及び腰部を構成する骨格体の一例を示す概略正面図であり、（ｂ）は腹部の変形を示す説明図である。
【図２】本考案のマネキン人形の全体を構成する骨格体の第一の例を示す概略斜視図である。
【図３】本考案のマネキン人形の全体を構成する骨格体の第二の例を示す概略斜視図である。
【図４】本考案のマネキン人形が取り得るポーズの例を示し、（ａ）はフィギュアスケート選手、（ｂ）はバスケットボール選手、（ｃ）はサッカー選手である。
【図５】公知の関節構造であって、（ａ）は頸部関節であり、（ｂ）は肩関節である。
【考案を実施するための形態】
【００１７】
図１（ａ）に、本考案の概要を示す骨格体１０を示している。骨格体１０は、胸部骨格に相当する胸部芯材２０と、骨盤部分に相当する腰部芯材５０と、胸部芯材２０と腰部芯材５０とを接続する腹部芯材３０とを備えている。胸部芯材２０は、少なくとも両肩間の胸部骨格を含むものであり、肩甲骨や肋骨全体に相当する部分等を含めることもできる。そして、腹部芯材３０が、複数の線材３１によって形成されているとともに、胸部芯材２０から腰部芯材５０に至る途中の１箇所（集合部３２）で集合していることを特徴としている。
【００１８】
腹部芯材３０は、胸部と腰部の間を自由に曲げたり捻ったりするための関節として機能させている。このため、マネキン人形及び展示品の荷重を支持できる強い剛性を備えて、長期間展示しても変形しないことが要求される。同時に、通常の人の力で腹部を捻ったり曲げたりできる十分な可塑性を備えて、スポーツ選手のポーズや動きを再現できることが要求される。
【００１９】
腹部芯材３０を構成する線材３１としては、剛性と可塑性とを適度に併せ持つように、従来から知られた軽量合金や、なまし鋼などを使用することができる。そして、線材３１の太さや本数を選ぶことによって、剛性を適度に調節することができる。
【００２０】
本考案の腹部芯材３０を構成する複数の線材３１は、胸部芯材２０から腰部芯材５０に至る途中の１箇所（集合部３２）に集合していることを特徴としている。すなわち、集合部３２における複数の線材３１の相互間距離は、胸部芯材２０又は腰部芯材５０における相互間距離と比べて著しく近接させている。このような形態で腹部芯材３０を構成することによって、肩から腰にかけてのラインが美しく再現されることになり、スポーツ選手の動きをリアルに表現することができる。
【００２１】
図１（ｂ）には、複数の線材３１が集合する形態を例示している。（１）は複数の線材３１が相互に交差することにより集合する例である。例えば、１本の直線状の線材３１が、胸部芯材２０の一方側から腰部芯材５０の他方側に向かって集合部３２を通過し、集合部３２において他の線材３１と近接している。
【００２２】
また、（２）は複数の線材３１が湾曲して集合する例である。例えば、１本の湾曲した線材３１が、胸部芯材２０の一方側から腰部芯材５０の一方側に戻っており、集合部３２において他の線材３１と近接している。また、（３）は複数の線材３１が屈曲して集合する例である。例えば、１本の直線状の線材３１が、胸部芯材２０の一方側から集合部３２に向かうとともに、集合部３２で屈曲して腰部芯材５０の一方側に戻っており、集合部３２において他の線材３１と近接している。
【００２３】
次に、本考案のマネキン人形の全身に亘る具体的な骨格体の第一の例を、図２により説明する。骨格体１１は、胸部芯材２０、腹部芯材３０、腰部芯材５０、腕部芯材６０及び脚部芯材７０を備えている。なお、頭部については従来から胴部とは別体に製作されることが周知であるので、説明を省略する。
【００２４】
胸部芯材２０は、逆台形をなして肩部及び胸部の骨格を形成するものであり、全体的に剛性の強い材質で製作するが、部分的に屈曲可能な材料を使用することもある。胸部芯材２０の中央上部には、頭部を接続するための頭部接続部材２１を備えている。ここに、図５（ａ）に示した頸部関節１４０等を取り付けることができる。頭部接続部材２１は、屈曲可能な頸部線材２２を介して取り付けるとともに、２本の頸部線材２２を途中１箇所で交差させて、集合させている。これによって、首筋をリアルな線に湾曲させることができる。
【００２５】
胸部芯材２０の両肩には腕部接続部材である胸側肩部材２６が設けられ、腕部芯材６０を取り外し可能に接続することができる。すなわち、腕部芯材６０の上端部には、腕側肩部材２７が設けられ、胸側肩部材２６及び腕側肩部材２７が肩部２５を形成している。通常、胸側肩部材２６に角孔２８を形成し、腕側肩部材２７に角軸２９を形成して、角孔２８に角軸２９を係止させている。図５（ｂ）に示した肩関節１２５等を用いることもできる。
【００２６】
腕部芯材６０は、剛性のある上腕部材６１及び前腕部材６２を備えている。腕側肩部材２７と上腕部材６１は肩部線材６３で屈曲自在に接続され、関節機能を備えて自然な肩のラインを形成することができる。また、上腕部材６１と前腕部材６２が肘部線材６４で屈曲自在に接続され、肘関節として機能させることができる。さらに、前腕部材６２の先端部には、６本の手部線材６５によって手のひらと五指を備える手部が形成されている。
【００２７】
このような腕部芯材６０の構造により、スポーツにおける腕部の様々な動きを再現させることができるとともに、実際に物を持たせることができる。すなわち、ゴルフクラブを握らせたり、ボールを持たせたりすることができる。肩部線材６３、肘部線材６４及び手部線材６５には、従来から知られた軽量合金やなまし鋼などを使用して、剛性と可塑性を適度に併せ持つようにする。肩部線材６３及び肘部線材６４は、それぞれ複数本とすることもできる。
【００２８】
腰部芯材５０は、マネキン人形の中心部であり、全体をしっかりと支持する機能が要求されることから、全体を剛性の強い材料で形成することが好ましい。また、マネキン人形を支持するスタンドは、腰部芯材５０に接続することが好ましく、ここにスタンド用の取付部材５５を設けることが好ましい。これによって、腕部及び脚部の変形が一層自由になり、スポーツ選手の動きを幅広く表現することができる。
【００２９】
また、腰部芯材５０には、両脚部を形成する脚部芯材７０を接続して、腰部と両脚部を一体に形成することが好ましい。脚部芯材７０は、剛性のある大腿部材７１及び下腿部材７２を備え、腰部芯材５０と大腿部材７１が脚部線材７３で接続され、大腿部材７１と下腿部材７２とが膝部線材７４で接続されている。また、下腿部材７２の先端部には、足部線材７５によって足首及び足が形成されている。
【００３０】
このような構造によって、脚部芯材７０は、スポーツにおける脚部の様々な動きを再現させることができる。例えば、野球のピッチャーが投球するときの多彩な瞬間をリアルに再現することができる。脚部線材７３、膝部線材７４及び足部線材７５には、従来から知られた軽量合金やなまし鋼などを使用して、剛性と可塑性を適度に併せ持つようにする。脚部線材７３及び膝部線材７４は、それぞれ複数本とすることが好ましい。また、複数本使用する場合には、Ａ−Ａ矢視及びＢ−Ｂ矢視に示すように、管状の大腿部材７１又は下腿部材７２の内周壁又は外周壁に、脚部線材７３又は膝部線材７４を溶接するのが好ましく、屈曲する方向等を考慮して配置や間隔を決定する。
【００３１】
次に、本考案のマネキン人形の骨格体の第二の例を、図３により説明する。ここに示す骨格体１２は、前述の骨格体１１とは、胸部芯材２０及び腹部芯材３０の構造が相違し、その他の構造は同じである。すなわち、胸部骨格に相当する胸部芯材２０が、肋骨の下部を含まないような形態に形成されている。一方、腹部芯材３０は、その上部が胸部の芯材を兼ねるように、大きく形成されている。
【００３２】
このように、腹部芯材３０を長い線材３１で構成することにより、スポーツ選手の肩から腰に掛けての逞しい体型を一層リアルに再現することができる。また、肩から腰に掛けての屈曲や捻りが一層滑らかとなって、瞬間的な動きをリアルに表現することができる。そして、躍動感溢れるポーズや、美しい背中のラインを表現することができる。
【００３３】
本考案のマネキン人形は、腹部芯材３０の特徴によって腹部の屈曲と捻りが可能であるとともに、腕部芯材６０及び脚部芯材７０も人体に近い屈曲と捻りを可能とすることができる。このため、様々なスポーツのポーズや動きをリアルに再現することが可能であり、図４に示すようなポーズも可能である。（ａ）はフィギュアスケートの選手、（ｂ）はバスケットボールの選手、（ｃ）はサッカー選手を表現している。
【００３４】
本考案のマネキン人形は、骨格体１１をプラスチック発泡体で覆うことにより形成することができる。そして、プラスチック発泡体の外周面を、布で覆うことが一般的である。プラスチック発泡体としては、スチレン重合体やオレフィン重合体を用いることができるが、ウレタンフォームを用いることが一般的である。
【符号の説明】
【００３５】
１０、１１、１２：  骨格体
２０：  胸部芯材
２１：  頭部接続部材
３０：  腹部芯材
３１：  線材
５０：  腰部芯材
５５：  取付部材
７０：  脚部芯材
【図１】
0003186413.tif 000003
【図２】
0003186413.tif 000004
【図３】
0003186413.tif 000005
【図４】
0003186413.tif 000006
【図５】
0003186413.tif 000007